(57)【要約】【課題】運搬後に、載置具を脱着する手間や廃棄することも省略でき、人的労働力の低減と産業廃棄物の削減することや脚部を載置具として強度を向上させる安価な構造を実現する給湯機を提供すること。【解決手段】加熱装置を用いて任意の温度に加熱した温水を貯湯するタンクを内蔵した本体２と、前記本体２に固定された脚部３とを備え、前記本体２は前記脚部３にて設置されるとともに、前記脚部３は運搬用載置部３ｋを有し、かつ、複数の部材を結合して形成したことを特徴とするもので、脚部３を、本体２を設置固定する脚としても、また、運搬用として載置具としても利用できるようにすることで、運搬後に、載置具を脱着する手間や廃棄することも省略できる。【選択図】図２
2011058664.tif 000002
【特許請求の範囲】
【請求項１】
加熱装置を用いて任意の温度に加熱した温水を貯湯するタンクを内蔵した本体と、前記本体に固定された脚部とを備え、前記本体は前記脚部にて設置されるとともに、前記脚部は運搬用載置部を有し、かつ、複数の部材を結合して形成したことを特徴とする給湯機。
【請求項２】
脚部は、運搬用載置部に連通する開口部を有することを特徴とする請求項１に記載の給湯機。
【請求項３】
脚部は、本体に配設された配管接続部と接続する給湯配管部材を貫通させるための、開口部を有することを特徴とする請求項１または２に記載の給湯機。
【請求項４】
脚部の前方先端部は、本体に配設された配管接続部より前方に位置することを特徴とする請求項１〜３のいずれか１項に記載の給湯機。
【請求項５】
脚部は、本体と接続する接続用穴部と、前記本体を設置面に設置する設置用穴部とを有することを特徴とする請求項１〜４のいずれか１項に記載の給湯機。
【請求項６】
脚部は、樹脂部材の一部に金属部材の複数の部材を結合し形成したことを特徴とする請求項１〜５のいずれか１項に記載の給湯機。
【請求項７】
本体の底板と脚部の樹脂部分とを一体化して形成したことを特徴とする請求項１〜６のいずれか１項に記載の給湯機。
【発明の詳細な説明】
【技術分野】
【０００１】
本発明は、給湯機の設置と運搬に関するものである。
【背景技術】
【０００２】
従来、この種の給湯機は、運搬や保管といった用途に使用するために載置具を用いている（例えば、特許文献１参照）。
【０００３】
上記特許文献１に記載の従来の技術によれば、本体の包装形態は、本体、本体の脚部、運搬に用いる載置具、包装部材から構成されている。
【０００４】
また、本体の脚部は、ステンレス鋼鈑や、鉄に鍍金処理を施した仕様で作られている板金製品がほとんどである。
【０００５】
また、本体を運搬に用いる載置具は、木材と鉄製釘を用いた仕様で作られているものがほとんどで、運搬用フォークリフトの爪を差し入れする開口部が設けられており、生産後の物流倉庫への移動や顧客の自宅に運搬し設置する際にも利用されている。
【先行技術文献】
【特許文献】
【０００６】
【特許文献１】特開２００４−５１１５３号公報
【発明の概要】
【発明が解決しようとする課題】
【０００７】
しかしながら、上記特許文献１に記載の載置具は、顧客の自宅への運搬が完了すると、少なくても２名以上で本体を持ち上げ、本体から載置具を脱着するといった手間や、脱着した後は、給湯機の重量に耐える構造を実現するため、高価な載置具を産業廃棄物として廃棄するといった地球環境面などの課題有している。
【０００８】
本発明は上記従来の課題を解決するもので、脚部を、本体を設置固定する脚としても、また、運搬用として載置具としても利用できるようにすることで、運搬後に、載置具を脱着する手間や廃棄することも省略でき、人的労働力の低減と産業廃棄物の削減することや脚部を載置具として強度を向上させる安価な構造を実現する給湯機を提供することを目的とする。
【課題を解決するための手段】
【０００９】
前記従来の課題を解決するために本発明の給湯機は、加熱装置を用いて任意の温度に加熱した温水を貯湯するタンクを内蔵した本体と、前記本体に固定された脚部とを備え、前記本体は前記脚部にて設置されるとともに、前記脚部は運搬用載置部を有し、かつ、複数の部材を結合して形成したことを特徴とするもので、脚部を、本体を設置固定する脚としても、また、運搬用として載置具としても利用できるようにすることで、運搬後に、載置具を脱着する手間や廃棄することも省略できる。
【００１０】
また、人的労働力の低減と産業廃棄物の削減や前記脚部の構造を複数の部材で結合された構造を有することで、特に重量が掛かる近傍を部分的に強い材質とその他の部分で材質を分けることで安価に強度を向上できる構造を実現する給湯機を提供できる。
【発明の効果】
【００１１】
本発明によれば、運搬後に、載置具を脱着する手間や廃棄することも省略でき、人的労働力の低減と産業廃棄物の削減することや脚部を載置具として強度を向上させる安価な構造を実現する給湯機を提供できる。
【図面の簡単な説明】
【００１２】
【図１】本発明の実施の形態１における給湯機の斜視図
【図２】同給湯機の運搬時の形態図
【図３】同給湯機の設置状態図
【図４】（ａ）同給湯機の脚部上面図（ｂ）同給湯機の脚部正面図（ｃ）同給湯機の脚部下面図（ｄ）同給湯機の脚部側面図
【図５】図４のＡ−Ａ断面図
【図６】図４のＢ−Ｂ断面図
【図７】図４のＣ−Ｃ断面図
【図８】同給湯機の脚部接続部の断面図
【発明を実施するための形態】
【００１３】
第１の発明は、加熱装置を用いて任意の温度に加熱した温水を貯湯するタンクを内蔵した本体と、前記本体に固定された脚部とを備え、前記本体は前記脚部にて設置されるとともに、前記脚部は運搬用載置部を有し、かつ、複数の部材を結合して形成したことを特徴とするもので、脚部を、本体を設置固定する脚としても、また、運搬用として載置具としても利用できるようにすることで、運搬後に、載置具を脱着する手間や廃棄することも省略できる。
【００１４】
また、人的労働力の低減と産業廃棄物の削減できることや脚部の構造を複数の部材で結合された構造を有することで、特に重量が掛かる近傍を部分的に強い材質とその他の部分で材質を分けることで安価に強度を向上できる構造を実現する給湯機を提供できる。
【００１５】
第２の発明は、特に、第１の発明の脚部が運搬用載置部に連通する開口部を有することを特徴とするもので、運搬用フォークリフトの爪部を開口部に挿入し、運搬用の載置部にて運搬用フォークリフトの爪部で本体を載置して、運搬移動するできることで、運搬後に、載置具を脱着する手間や廃棄することも省略でき、人的労働力の低減と産業廃棄物の削減を実現する給湯機を提供できる。
【００１６】
第３の発明は、特に、第１または第２発明の脚部は、本体に配設された配管接続部と接続する給湯配管部材を貫通させるための、開口部を有することを特徴とするもので、本体に設けられた複数の配管接続部と接続される給湯配管部材を、開口部を貫通させるなどして利用できるので、施工性も良くすることができる。
【００１７】
第４の発明は、特に、第１〜第３のいずれかの発明の脚部の前方先端部は、本体に配設された配管接続部より前方に位置することを特徴とするもので、本体の前方での配管施工性と転倒防止性を向上できる。
【００１８】
第５の発明は、特に、第１〜第４のいずれかの発明の脚部は、本体と接続する接続用穴部と、前記本体を設置面に設置する設置用穴部とを有することを特徴とするもので、運搬後の本体の設置も容易に施工することができる。
【００１９】
第６の発明は、特に、第１〜第５のいずれかの発明の脚部を、樹脂部材の一部に金属部材の複数の部材を結合し形成したことを特徴とするもので、樹脂成型装置で大量生産が可能になりコストを安価にできるとともに、樹脂の再生材料も使用することが可能となり、本体の小型・軽量化と重量の大きく負荷される一部金属で補強することにより給湯機の貯
湯量の大きな重量物にも耐えることも実現できる。
【００２０】
第７の発明は、特に、第１〜第６のいずれかの発明の本体の底板と、脚部の樹脂部分とを、一体化して形成したことを特徴とするもので、一体化による部品点数を削減できるので組立て工数も削減でき、組立てコストを安価にすることができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における給湯機の斜視図を示すものである。
【００２３】
図１おいて、１は給湯機であり、加熱装置を用いて任意の温度に加熱した温水を貯めておくタンク（図示せず）を内蔵した本体２と、本体２には、複数の配管接続部２ａと、本体２内の水を排出する排水バルブ２ｂと、本体２を設置固定する脚部３を構成している、脚部３は、タンク本体２を設置し固定すると同時に運搬用の載置具としても利用される。
【００２４】
図２は、本発明の実施の形態１における給湯機の荷扱い時の形態図を示すものである。
【００２５】
図２において、脚部３について利用の詳細を説明する。生産工場で完成された給湯機１は、運搬用フォークリフト５により、本体２に接続されている脚部３は、特に重量が掛かる近傍に脚補強部３ｊの複数の部材で結合された構造で構成され、開口部３ａに運搬用フォークリフト５の爪部５ａを挿入し、開口部３ａと連通した運搬用の載置部３ｋで、運搬用フォークリフト５の爪部５ａに、本体２を載置して運搬移動する。
【００２６】
図３は、本発明の実施の形態１における給湯機の設置状態図を示すものである。
【００２７】
図３において、脚部３について利用の詳細を説明する。顧客の住宅へと運搬された給湯機１は、タンク本体２の複数の配管接続部２ａから市水に配管される給水配管１０と、加熱装置６に配管される熱源配管１１と、住宅の風呂８に配管される風呂配管１２と、シャワー９に配管される給湯配管１３へと施工する際に住宅７の大きさや建て方によって、貯湯式給湯装置１を設置する位置は特定できないため、本体２の脚部３に配管を貫通させるための開口部３ａを上面と側面に設けることにより、どの方向からも自由に配管できるので施工性も向上する。
【００２８】
ただし、脚部３の前方先端部３ｈは、配管接続部２ａより前方に位置させることで、運搬時に前方先端部３ｈを持って安全に移動が可能になり、さらに本体２前方での施工時の安全性と転倒防止性を向上させている。
【００２９】
図４は、本発明の実施の形態１における湯式給湯機の脚部の四面図を示すものである。
【００３０】
図４に示すように、脚部３は略平面直方体で形成され、本体２との接続部である上面部３ｃの面積は、本体２の最大面積以下になるように形成され、脚部３の上面部３ｃには、複数のタンク取付け部３ｆの近傍に複数のタンク取り付け穴部３ｅと、本体２の排水口の近傍に逃がし穴部３ｇと、側面には、本体２の複数の接続配管部材を貫通させるための複数の開口部３ａと、底面部３ｄには、給湯機１が顧客の住宅に運搬され設置時に固定接続に用いられるアンカーボルト（図示せず）を挿入するため複数の設置用穴部３ｂを設けている。
【００３１】
図５は、本発明の実施の形態１における湯式湯式給湯機の脚部の設置用穴部の局部断面
図を示すものである。
【００３２】
図５に示すように前記本体２の脚部３に配管を貫通させるための開口部３ａと、運搬用フォークリフト５の爪部５ａを挿入するための開口部３ａとは、上面部３ｃの下方で連通している。ちなみに、開口部３ａと連通した運搬用の載置部３ｋは、上面部３ｃの裏面に相当している。
【００３３】
図６は、本発明の実施の形態１における湯式給湯機の脚部の補強部形状の局部断面図を示す物である。
【００３４】
図６に示すように、脚部３には本体２の重量の中心を支えるために脚補強部３ｊで構成され、長期間の設置時で、圧縮方向に掛かる負荷に耐えるように形成されている。さらに脚部３は、樹脂成型で形成できる形状とし、脚補強部３ｊは、金属材料で形成され、脚部３にインサート成型又は、はめ込むようにして固定している。
【００３５】
図７は、本発明の実施の形態１における湯式給湯機の脚部のタンク取付け穴部と脚補強部の局部断面図を示す物である。
【００３６】
図７に示すように、脚部３には本体２の重量を支えるために脚補強部３ｊで構成され、特に本体２との固定箇所である脚部３のタンク取付け部３ｅ近傍に形成され、長期間の設置時で、圧縮方向に掛かる負荷に耐えるように形成されている。さらに脚部３は、樹脂成型で形成できる形状とし、脚補強部３ｊは、金属材料で形成され、脚部３にインサート成型又は、はめ込むようにして固定している。
【００３７】
図８は、本発明の実施の形態１における湯式給湯機の脚部のタンク接続部の局部断面図を示す物である。
【００３８】
図８に示すように、脚部３には本体２の重量を支えるために複数の脚補強部３ｊで構成され、本体２のタンク接続部２ｅは、本体２の底板穴部２ｃと脚部３の設置用穴部３ｂを利用して、平ワッシャ１４ａを嵌めた締付けナット１４により接続固定されており、特にタンク取付け部３ｅと脚部３の中心に強度を向上するように形成されている。さらに脚部３は、本体２の底板２ｃと樹脂一体化で形成されている。
【００３９】
以上のように、本実施の形態の形態によれば、加熱装置を用いて任意の温度に加熱した温水を貯めておくタンク（図示せず）を内蔵した本体２と、本体２には、複数の配管接続部２ａと、本体２の水を排出する排水バルブ２ｂと、本体２を設置固定する脚部３を備え、脚部３は、本体２を設置し固定すると同時に、運搬用の載置具と複数の部材で結合された構造にすることにより、本体２の脚部３を設置固定や運搬用として載置具としても利用することや脚部の構造を複数の部材で結合された構造を有することで、特に重量が掛かる近傍を部分的に強い材質とその他の部分で材質を分けることで安価に強度を向上できる。
【００４０】
また、脚部３は、運搬用載置部に連通する開口部３ａを備え、運搬用フォークリフトの爪部５ａを開口部３ａに挿入し、運搬用の載置部３ｋにて運搬用フォークリフトの爪部３ａで本体２を載置して、運搬移動するできることで、運搬後に、載置具を脱着する手間や廃棄することも省略でき、人的労働力の低減と産業廃棄物の削減を実現する給湯機を提供できる。
【００４１】
また、脚部を、略平面直方体で形成され、脚部３の上面と側面に本体２に配設された配管接続部２ａと接続する給湯配管部材を貫通させるための、開口部３ａを備え、本体２に設けられた複数の配管接続部２ａと接続される給湯配管部材を、開口部３ａを貫通させる
などして利用できるので、施工性も良くすることができる。
【００４２】
また、脚部３の前方先端部３ｈは、本体２に配設された配管接続部２ａより前方に位置することを特徴とするもので、運搬時の持ち手部分の確保や設置時の安定感が増し、転倒性が向上することで施工業者が安心して施工ができる。
【００４３】
また、脚部３は、本体２と接続される脚部３の上面部３ｃに、本体２との複数のタンク取付け穴部３ｅと、本体２の排水口の近傍に逃がし穴部３ｇと、本体２を設置するための複数の設置用穴部３ｂを形成することにより、本体２と脚部３の接続は、平ワッシャ１４ａを嵌めた締付けナット１４で確実に締め付けできることや、本体２の施工時に排水口（図示せず）の位置も見やすくので、排水配管処理と本体２を設置するための複数の設置用穴部３ｂを形成しているので、運搬後の設置も容易に施工することができる。
【００４４】
また、脚部３は、樹脂成型された一部に本体２と接続される脚部３の複数の接続箇所近傍に金属材料の脚補強部３ｊを結合したことを特徴とするもので、圧縮強度を向上し、本体２の重量支えているので、安価な構成で、安心して設置することができる。
【００４５】
また、脚部３は、本体２の底板２ｃと脚部３の樹脂部分とを一体化して形成したことを特徴とするもので、一体化による部品点数を削減できるので組立て工数も削減でき、組立てコストを安価にすることができる。
【産業上の利用可能性】
【００４６】
以上のように、本発明は、温水をためてそれを供給する給湯機に適用され、例えば、家庭用の貯湯式ヒートポンプ給湯機あるいは、電気ヒーターをタンクに内蔵した電気温水器などにも適用できる。
【符号の説明】
【００４７】
１  給湯機
２  本体
２ａ  配管接続部
２ｅ  タンク接続部
３  脚部
３ａ  開口部
３ｂ  設置用穴部
３ｃ  上面部
３ｄ  下面部
３ｅ  タンク取付け穴部
３ｆ  タンク取付け部
３ｊ  補強部
３ｈ  前方先端部
３ｊ  脚補強部
３ｋ  載置部
４  載置部
５  運搬用フォークリフト
５ａ  運搬用フォークリフトの爪部
６  加熱装置
【図１】
2011058664.tif 000003
【図２】
2011058664.tif 000004
【図３】
2011058664.tif 000005
【図４】
2011058664.tif 000006
【図５】
2011058664.tif 000007
【図６】
2011058664.tif 000008
【図７】
2011058664.tif 000009
【図８】
2011058664.tif 000010